(57)【要約】【課題】  作業台において、紙製品等の薄くて倒れ易い製品を段ボール箱等に箱詰めする際に作業者１人でも容易にかつ迅速に箱詰め作業を行うことができること。【解決手段】  作業台１は、両側板７の端部に斜めになった傾斜上板２の上に載せられた段ボール箱Ｃが滑り落ちないように支持する停止板３が傾斜上板２とほぼ直角に固定されている。作業者はコンベアラインを流れてくる製品を適当な束にして取り上げ、段ボール箱Ｃの中に停止板３側から立てて入れていくが、製品は斜めに立て掛けられた状態になるので両手を離しても倒れないので、作業者１人で製品を次々に詰めて行くことができる。製品を詰められて重くなった段ボール箱Ｃも複数の第１ローラ５Ａの滑らかな回転で楽に斜めの傾斜上板２の上端まで押し上げることができ、さらに水平上板４の第２ローラ５Ｂの回転で、製品が充填された段ボール箱Ｄの位置まで楽に移動させることができる。【選択図】        図１
2005161476.tif 000002
【特許請求の範囲】
【請求項１】
載置した箱容器に複数の製品を箱詰めするための作業台であって、
作業中の前記箱容器が載置される傾斜面で形成されている傾斜上板と、
前記傾斜上板の傾斜面に沿って前記箱容器をその回転によって移動可能とする前記上板の前記箱容器の送出方向の一部または全部に配設された複数の第１ローラと、
前記傾斜上板の下部に配設した前記箱容器が滑り落ちるのを防止する停止板と、
前記傾斜上板の上端に配設された水平方向の広がりを持つ水平上板と、
前記水平上板の平面に沿って前記箱容器をその回転によって移動可能とする前記水平上板の一部または全部に配設された複数の第２ローラと
を具備することを特徴とする作業台。
【請求項２】
前記傾斜上板の前記水平上板方向の長さに対する直角方向の幅は、製品を詰める箱容器の幅以上であることを特徴とする請求項１に記載の作業台。
【請求項３】
前記傾斜上板は、持ち上げて固定することによって、前記水平上板の全面と略水平に固定可能であることを特徴とする請求項１または請求項２に記載の作業台。
【請求項４】
前記傾斜上板を持ち上げて固定し、前記水平上板の全面と略水平に固定した前記傾斜上板及び前記水平上板には、前記傾斜上板及び前記水平上板以上の面積の天板を取付自在としたことを特徴とする請求項３に記載の作業台。
【発明の詳細な説明】
【技術分野】
【０００１】
本発明は、紙製品等の薄くて倒れ易い製品を段ボール箱等に箱詰めする際に作業者１人でも容易にかつ迅速に箱詰め作業を行うことができ、また通常の作業台としても使用することができる作業台に関するものである。
【背景技術】
【０００２】
箱組立用の折り曲げ線が付けられて打ち抜かれたボール紙等の紙製品を段ボール箱等の容器に箱詰めする場合には、ラインを流れてくる紙製品を束にして段ボール箱に端から立てて詰めるが、次の紙製品を取るために手を離すと段ボール箱の中の紙製品は倒れてしまう。そこで、従来は、１人の作業者が段ボール箱の中に立てて詰めた紙製品が倒れないように押えて、もう１人の作業者がラインを流れてくる紙製品を段ボール箱に詰めるというように、２人の作業者によって箱詰め作業を行っていた。
【発明の開示】
【発明が解決しようとする課題】
【０００３】
しかしながら、上記従来の箱詰め方法においては、作業者２人がかりで箱詰め作業を行うことから、作業効率が悪く人件費がかかるという問題点があった。
【０００４】
そこで、本発明は、紙製品等の薄くて倒れ易い製品を段ボール箱等の箱容器に箱詰めする際に作業者１人でも容易にかつ迅速に箱詰め作業を行うことができる作業台を提供することを課題とするものである。
【課題を解決するための手段】
【０００５】
請求項１の発明にかかる作業台は、載置した箱容器に複数の製品を箱詰めするための作業台であって、作業中の前記箱容器が載置される傾斜面で形成されている傾斜上板と、前記傾斜上板の傾斜面に沿って前記箱容器をその回転によって移動可能とする前記傾斜上板の前記箱容器の送出方向の一部または全部に配設された複数の第１ローラと、前記傾斜上板の下部に配設した前記箱容器が滑り落ちるのを防止する停止板と、前記傾斜上板の上端に配設された水平方向の広がりを持つ水平上板と、前記水平上板の平面に沿って前記箱容器をその回転によって移動可能とする前記水平上板の一部または全部に配設された複数の第２ローラとを具備するものである。
【０００６】
請求項２の発明にかかる作業台は、請求項１の構成において、前記傾斜上板の前記水平上板方向の長さに対する直角方向の幅は、製品を詰める箱容器の幅以上であるものである。
【０００７】
請求項３の発明にかかる作業台は、請求項１または請求項２の構成において、前記傾斜上板は、持ち上げて固定することによって、前記水平上板の全面と略水平に固定可能であるものである。
【０００８】
請求項４の発明にかかる作業台は、請求項３の構成において、前記傾斜上板を持ち上げて固定し、前記水平上板の全面と略水平に固定した前記傾斜上板及び前記水平上板には、前記傾斜上板及び前記水平上板以上の面積の天板を取付自在としたものである。
【発明の効果】
【０００９】
請求項１の発明にかかる作業台は、作業中の箱容器が載置される傾斜面で形成されている傾斜上板と、傾斜上板に配設された複数の第１ローラと、箱容器が滑り落ちるのを防止する停止板と、水平上板と、水平上板に配設された複数の第２ローラとを具備するものである。したがって、箱容器を傾斜上板の傾斜面に置いて紙製品等の薄くて倒れ易い製品を立てて詰めても、斜めに立て掛けられた状態になるので両手を離しても倒れることはない。そこで、作業者１人でラインを流れてくる製品を次々に傾斜面に置いた箱容器に箱詰めして行くことができる。
【００１０】
そして、箱容器一杯に箱詰めされたらもう水平にしても製品が倒れることはないので、傾斜面を押し上げて水平上板まで押出すが、傾斜面がかなり急でも、製品を一杯に詰めた箱容器が重たくても、複数の第１ローラの回転によって楽に傾斜面を押し上げて、複数の第２ローラの回転によって楽に水平上板まで押出すことができる。そこで別の担当者がその場で箱容器を閉じるか、別の場所で箱容器を閉じて出荷場所まで運んで行く。その間に、作業者は新しい箱容器を傾斜面に置いて、また製品を箱詰めする作業を行う。
【００１１】
このようにして、紙製品等の薄くて倒れ易い製品を箱容器に箱詰めする際に作業者１人でも容易にかつ迅速に箱詰め作業を行うことができ、製品を一杯に詰めた箱容器楽に傾斜面を押し上げて楽に水平上板まで押出すことができる作業台となる。
【００１２】
請求項２の発明にかかる作業台は、傾斜上板の水平上板方向の長さに対する直角方向の幅は、製品を詰める箱容器の幅以上である。したがって、箱詰め作業中に箱容器を傾斜上板の側面から落下させてしまうこともなく、安定した状態で箱詰め作業を行うことができる。
【００１３】
このようにして、紙製品等の薄くて倒れ易い製品を箱容器に箱詰めする際に作業者１人でも容易にかつ迅速に安定した状態で箱詰め作業を行うことができる作業台となる。
【００１４】
請求項３の発明にかかる作業台は、傾斜上板は、持ち上げて固定することによって、水平上板の全面と略水平に固定可能であるものである。紙製品等の薄くて倒れ易い製品を箱容器に箱詰めする作業以外の作業を行う場合には、傾斜面は必要ないので、このようにして傾斜上板を略水平に固定することができるようにしておく。これによって、複数の第１，第２ローラを設けていても第１，第２ローラの周囲を作業に使用することができる。
【００１５】
このようにして、紙製品等の薄くて倒れ易い製品を箱容器に箱詰めする際に作業者１人でも容易にかつ迅速に箱詰め作業を行うことができ、箱詰め作業を行わない場合には他の作業を行うことができる作業台となる。
【００１６】
請求項４の発明にかかる作業台は、略水平に固定した傾斜上板及び水平上板には傾斜上板及び水平上板以上の面積の天板を取付自在としたものである。これによって、一回り大きい作業台となり、かつ複数の第１，第２ローラを設けていても上から天板を取付けるので、全面を作業台として使用することができる。
【００１７】
このようにして、紙製品等の薄くて倒れ易い製品を箱容器に箱詰めする際に作業者１人でも容易にかつ迅速に箱詰め作業を行うことができ、箱詰め作業を行わない場合には一回り大きい水平な作業台として使用できる作業台となる。
【発明を実施するための最良の形態】
【００１８】
以下、本発明の実施の形態について、図１乃至図５を参照して説明する。
【００１９】
図１は本発明の実施の形態にかかる作業台の傾斜上板を斜めにした状態の全体構成を示す斜視図である。図２は本発明の実施の形態にかかる作業台における箱詰め作業を示す斜視図である。図３（ａ）は本発明の実施の形態にかかる作業台の傾斜上板が水平の状態を示す上部縦断面図、（ｂ）は傾斜上板を斜めにした状態を示す上部縦断面図である。図４は本発明の実施の形態にかかる作業台の傾斜上板を水平にした状態で別の方向から見た全体構成を示す斜視図である。図５は本発明の実施の形態にかかる作業台を水平な一回り大きい作業台として用いる場合を示す分解斜視図である。
【００２０】
図１に示されるように、本実施の形態にかかる作業台１は、傾斜上板２，水平上板４が別体になっており、傾斜上板２が下方に回動可能になっていて、両側板７の上端に当接して所定の角度で斜めの状態で停止するようになっている。両側板７の端部には図のように斜めになった傾斜上板２の上に載せられた箱容器としての段ボール箱Ｃが滑り落ちないように支持する停止板３が、斜めになった傾斜上板２とほぼ直角になるように固定されている。ここで、傾斜上板２の水平上板４方向の長さに対する直角方向の幅は、製品を詰める箱容器としての段ボール箱Ｃの幅以上である。したがって、箱詰め作業中に段ボール箱Ｃを傾斜上板２の側面から落下させてしまうこともなく、安定した状態で箱詰め作業を行うことができる。
【００２１】
さらに、斜めになった傾斜上板２の中央部分には、上端から傾斜上板２の長さの８割程度まで貫通窓が開けられており、長手方向の両縁には断面「コ」の字形の鋼板枠５ａが嵌め込まれて、その間にボールベアリングを介してステンレス製の複数の第１ローラ５Ａが回転自在に取付けられている。同様に、水平に固定された水平上板４の傾斜上板２側にも短い貫通窓が開けられ断面「コ」の字形の鋼板枠５ｂが嵌め込まれて、ステンレス製の３個の第２ローラ５Ｂが回転自在に取付けられており、これらの第１ローラ５Ａ，第２ローラ５Ｂは傾斜上板２，水平上板４から若干突出している。
【００２２】
これによって、製品を詰められて重くなった段ボール箱Ｃも複数の第１ローラ５Ａの滑らかな回転で楽に斜めの傾斜上板２の上端まで押し上げることができ、さらに水平上板４の第２ローラ５Ｂの回転によって、製品が充填された段ボール箱Ｄの位置まで楽に移動させることができる。なお、後述するように、傾斜上板２を回動させて水平位置まで持ち上げ、ガイド板６の２つのピン差し穴に収容されている固定治具としての２本の固定ピン９を両側板７に穿設されている貫通穴８に差し込めば、傾斜上板２を略水平状態で固定することができる。さらに、手前の側板７には、工作道具や物差し等を収納できる収納ボックス１１が取付けられている。そして、両側板７が前板１０とその対向する面にある後述する棚板とで接続されることによって、作業台１の強固な構造が形成されている。
【００２３】
次に、実際の箱詰め作業の手順について、図２を参照して説明する。図２に示されるように、本実施の形態１の作業台１は、製品２１が搬送されてくるコンベアライン２０の近傍に設置されている。そして、作業者Ｓは箱容器としての空の段ボール箱Ｃを斜めになった傾斜上板２と停止板３に角を合わせるようにセットして、コンベアライン２０を流れてくる製品２１を適当な束にして取り上げて、段ボール箱Ｃの中に停止板３側から立てて入れていく。ここで、段ボール箱Ｃの中に入れた製品２１は斜めに立て掛けられた状態になるので両手を離しても倒れることはない。そこで、作業者Ｓ１人でコンベアライン２０を流れてくる製品２１を次々に段ボール箱Ｃの中に詰めて行くことができる。
【００２４】
そして、段ボール箱Ｃに製品２１が一杯に詰められたらもう水平にしても製品２１が倒れることはないので、斜めになった傾斜上板２の上を第１ローラ５Ａの回転を利用して押し上げて、水平上板４の製品が充填された段ボール箱Ｄの位置まで移動させる。そこで別の担当者がその場で段ボール箱Ｄをガムテープ等で閉じるか、別の場所へ移動させて閉じて出荷場所まで運んで行く。その間に、作業者Ｓは新しい空の段ボール箱Ｃを傾斜上板２に置いて、また製品２１を詰める作業を行う。
【００２５】
ここで、本実施の形態においては、傾斜上板２の長さは箱容器Ｃの長手方向の長さ程度である。傾斜上板２の長さが余り長いと余分なスペースを取り、水平上板４まで押し上げるにも時間が掛かる。また、余りに短くても段ボール箱Ｃの先端が水平上板４まで大きく突き出て、別の担当者がその場で製品が充填された段ボール箱Ｄを閉じる作業をする場合に支障をきたす。本実施の形態においては、このような不都合はなく、必要最小限のスペースで迅速確実に箱詰め作業を行うことができる。
【００２６】
このようにして、本実施の形態１の作業台１は、薄くて倒れ易い紙製品２１を段ボール箱Ｃに箱詰めする際に作業者１人でも容易にかつ迅速に箱詰め作業を行うことができる。
【００２７】
次に、傾斜上板２を略水平に固定する仕組みと斜めに傾ける仕組みについて、図３を参照して説明する。図３（ａ）に示されるように、傾斜上板２の下面には両側板７の内面と擦り合う擦り板２ｂ，２ｃがそれぞれ１対ずつ取付けられている。このうち、擦り板２ｂには両側板７に開けられている貫通穴８と一致する貫通穴２ｄが穿設されており、傾斜上板２の端に凹部として設けられている取っ手部分２ａを持って傾斜上板２を略水平に保持し、貫通穴２ｄを貫通穴８と一致させ、外側から固定治具としての２本の固定ピン９を貫通穴８及び貫通穴２ｄを貫通させることによって、図３（ａ）に示されるように傾斜上板２を略水平に固定することができる。
【００２８】
また、図１，図２に示されるように傾斜上板２を回動させて斜めにするには、同じく取っ手部分２ａを持って傾斜上板２を略水平に保持した状態で、２本の固定ピン９を貫通穴２ｄ及び貫通穴８から引き抜いて、図３（ｂ）に想像線で示されるように取っ手部分２ａを持ったままゆっくりと傾斜上板２を傾けて行く。そして、図３（ａ）に示される両側板７の上端７ａに傾斜上板２の両側端が当接して、図３（ｂ）に実線で示されるように傾斜上板２が斜めになって止まる。ガイド板６は、このように斜めになった傾斜上板２に段ボール箱Ｃを載せるときに側面をガイドする。
【００２９】
次に、傾斜上板２を略水平に固定した作業台１について、図４を参照して説明する。図４に示されるように、傾斜上板２を略水平に固定することによって、傾斜上板２の第１ロール５Ａの周囲と水平上板４の大部分を薄い製品の箱詰め作業以外の作業に使用することができる。なお、２本の固定ピン９を引き抜いて傾斜上板２を斜めにしたときには、固定ピン９を無くさないようにガイド板６の上端に設けられた２つのピン差し穴６ａに収容しておく。また、こちら側の側板７に取付けられた収納ボックス１２には、以下に説明するように天板を取付けるために用いられる２本のストッパー材１３が収納されている。
【００３０】
次に、本実施の形態の作業台１に一回り大きい天板を取付けて、一回り大きい作業台とする手順について、図５を参照して説明する。図５に示されるように、まず傾斜上板２を略水平に固定した作業台１に、前記２本のストッパー材１３を取付ける。これらのストッパー材１３には、傾斜上板２，水平上板４の幅の嵌合部が設けられているので、１本のストッパー材１３は傾斜上板２の端から嵌合部を通して第１ローラ５Ａに当接するまで入れる。もう１本のストッパー材１３は水平上板４の端から嵌合部を通して、水平上板４の下面の両側部に取付けられている図示しない位置決め部材に当接するまで入れる。そして、その上から一回り大きい天板１６を被せると、下面に固定されている２本の固定部材１７によって２本のストッパー材１３がぴったり挟まれて、天板１６が作業台１に固定される。これによって、一回り大きい作業台となり、かつ複数の第１ローラ５Ａ，第２ローラ５Ｂを設けていても上から天板１６を嵌め込むので、全面を作業台として使用することができる。
【００３１】
なお、図５に示されるように、作業台１の水平上板４側の端部には、回動自在な小物入れ１４や複数段の棚板１５が設けられていて、工具や材料等の収納に便利になっている。
【００３２】
このようにして、本実施の形態の作業台１においては、薄くて倒れ易い紙製品２１を段ボール箱Ｃに箱詰めする際に作業者１人でも容易にかつ迅速に箱詰め作業を行うことができ、箱詰め作業を行わない場合には一回り大きい水平な作業台として使用することができる。なお、中央の取っ手穴１６ａは天板１６を１人で取付け、取外しするのが容易なように設けられたもので、必ずしもなくても構わない。
【００３３】
本実施の形態においては、箱容器としての段ボール箱Ｃを載せる傾斜上板２を回動可能として、斜めにも水平にもできるようにしたが、薄くて倒れ易い製品を段ボール箱等に箱詰めする際に作業者１人でも容易にかつ迅速に箱詰め作業を行うことができるという目的だけならば、段ボール箱Ｃを載せる傾斜上板２を斜めに固定しても良い。
【００３４】
また、本実施の形態においては、傾斜上板２を略水平に固定するための固定治具として貫通穴２ｄ，８を貫通させる固定ピン９を用いているが、固定治具としてはその他のどのような治具を使用しても良い。
【００３５】
本発明を実施するに際しては、作業台のその他の部分の構成、形状、数量、材質、大きさ、接続関係等についても、本実施の形態に限定されるものではない。
【産業上の利用可能性】
【００３６】
上記実施の形態にかかる作業台では、通常、ローラーコンベア等のコンベアに平行して設置され、コンベアで搬送される製品を箱詰めするのに使用され、製品は、工業製品に限定されるものではなく、果実、野菜等の箱詰めにも使用できる。
【図面の簡単な説明】
【００３７】
【図１】図１は本発明の実施の形態にかかる作業台の傾斜上板を斜めにした状態の全体構成を示す斜視図である。
【図２】図２は本発明の実施の形態にかかる作業台における箱詰め作業を示す斜視図である。
【図３】図３（ａ）は本発明の実施の形態にかかる作業台の傾斜上板が水平の状態を示す上部縦断面図、（ｂ）は傾斜上板を斜めにした状態を示す上部縦断面図である。
【図４】図４は本発明の実施の形態にかかる作業台の傾斜上板を水平にした状態で別の方向から見た全体構成を示す斜視図である。
【図５】図５は本発明の実施の形態にかかる作業台を水平な一回り大きい作業台として用いる場合を示す分解斜視図である。
【符号の説明】
【００３８】
１  作業台
２  傾斜上板
３  停止板
４  水平上板
５Ａ  第１ローラ
５Ｂ  第２ローラ
８  貫通穴
９  固定ピン
１６  天板
２１  製品
Ｃ  箱容器
Ｓ  作業者
【図１】
2005161476.tif 000003
【図２】
2005161476.tif 000004
【図３】
2005161476.tif 000005
【図４】
2005161476.tif 000006
【図５】
2005161476.tif 000007